(57)【要約】非同期無線通信システムで能動リンク・セット・リスト（５０）を更新するための通信回路（１０）および方法。一実施形態の場合には、通信回路（１０）は無線装置（６００）であっても任意の他の適当な通信装置であってもよい。通信回路（１０）は、能動リンク・セット更新メッセージ（６０）を受信し、それに応じて能動リンク・セット・リスト（５０）から基準リンク（２０）の候補リストを生成するための候補基準リンク決定回路（３０）を含む。候補基準リンク決定回路（３０）は、例えば、能動リンク・セット・リスト（５０）からリンクを保持するために、受信した能動リンク・セット更新メッセージ（６０）内の表示に基づいて基準リンクの候補リストを生成する。
2007508743.tif 000002
【特許請求の範囲】
【請求項１】
非同期無線通信システムで能動リンク・セット・リストを更新するために動作する通信回路であって、
能動リンク・セット更新メッセージを受信し、それに応じて前記能動リンク・セット・リストおよび前記受信した能動リンク・セット更新メッセージに基づいて基準リンクの候補リストを生成するために動作する候補基準リンク決定回路を備える通信回路。
【請求項２】
前記候補基準リンク決定回路が、前記能動リンク・セット・リストからリンクを保持するために、前記受信した能動リンク・セット更新メッセージ内の少なくとも１つの表示に基づいて前記基準リンクの候補リストを生成するために動作する請求項１に記載の通信回路。
【請求項３】
前記基準リンクの候補リストが、前記能動リンク・セット更新メッセージが、前記能動リンク・セット・リストからの現在の基準リンクの除去を指示している場合には、前記能動セット更新メッセージ内の指示により、前記能動リンク・セット・リスト内に保持する少なくとも前記リンクを含む請求項２に記載の通信回路。
【請求項４】
前記候補基準リンク決定回路が、少なくとも前記受信した能動リンク・セット更新メッセージに基づいて前記能動リンク・セット・リストを更新するために動作する請求項１に記載の通信回路。
【請求項５】
前記能動リンク・セット更新メッセージが、前記能動リンク・セット・リストから現在の基準リンクを除去するように指示している場合に、信号強度測定値、品質表示、基地局への距離の表示、前記各基準リンクの候補リストに関連するエージング表示、およびタイミング・オフセットの表示のうちの少なくとも１つに基づいて前記基準リンクの候補リストから新しい基準リンクを選択するために動作する請求項１に記載の通信回路。
【請求項６】
前記候補基準リンク決定回路が、前記候補基準リンク決定回路が新しい基準リンクを選択するまで現在の基準リンクを保持するために動作する請求項５に記載の通信回路。
【請求項７】
前記候補基準リンク決定回路が、前記能動リンク・セット・リストが満杯にならない限り、前記能動リンク・セット・リストから現在の基準リンクを除去する前に、前記能動リンク・セット・リストに前記新しい基準リンクを追加するために動作する請求項５に記載の通信回路。
【請求項８】
前記能動リンク・セット更新メッセージが、リンク追加の表示およびリンク削除の表示のうちの少なくとも一方を含み、前記候補基準リンク決定回路が、前記受信した能動リンク・セット更新メッセージに応じて１つの新しい基準リンクのみを選択する請求項５に記載の通信回路。
【請求項９】
非同期無線通信システムにおいて能動リンク・セット・リストを更新するために動作する無線装置であって、
能動リンク・セット更新メッセージを受信するために動作するトランシーバと、
前記トランシーバに動作できるように結合していて、前記能動リンク・セット更新メッセージを受信するために動作し、それに応じて前記能動リンク・セット・リストおよび前記受信した能動リンク・セット更新メッセージに基づいて基準リンクの候補リストを生成するために動作する候補基準リンク決定回路と、
前記候補基準リンク決定回路に動作できるように結合していて、前記基準リンクの候補リストを記憶するために動作するメモリと、
を備える無線装置。
【請求項１０】
前記候補基準リンク決定回路が、前記能動リンク・セット・リストからリンクを保持するために、前記受信した能動リンク・セット更新メッセージ内の少なくとも１つの表示に基づいて前記基準リンクの候補リストを生成するために動作し、前記メモリが前記基準リンクの候補リストを含む請求項９に記載の無線装置。
【請求項１１】
前記能動リンク・セット更新メッセージが、前記能動リンク・セット・リストから現在の基準リンクを除去するように指示している場合に、前記基準リンクの候補リストが、前記能動リンク・セット・リスト内に保持する少なくとも前記リンクを含む請求項１０に記載の無線装置。
【請求項１２】
非同期無線通信システムにおいて能動リンク・セット・リストを更新するために動作する無線装置であって、
能動リンク・セット更新メッセージを受信するために動作するトランシーバと、
前記トランシーバに動作できるように結合していて、前記能動リンク・セット更新メッセージを受信するために動作し、それに応じて前記受信した能動リンク・セット更新メッセージに応じて、前記能動リンク・セット・リストから除去するリンクのリスト、および前記能動リンク・セット・リストから除去しないリンクのリストを生成し、前記能動リンク・セット・リストから保持する少なくとも前記リンクのリストは含むが、前記能動リンク・セット・リストから除去するリンクのリストを含まないように、基準リンクの候補リストを生成するために動作し、その結果、前記受信した能動リンク・セット更新メッセージが前記能動リンク・セット・リストからの現在の基準リンクの除去を指示している場合に、前記候補基準リンク決定回路が、前記基準リンクの候補リストから新しい基準リンクを選択するように動作する候補基準リンク決定回路と、
前記候補基準リンク決定回路に動作できるように結合していて、前記基準リンクの候補リストを記憶するために動作するメモリと、
を備える無線装置。
【請求項１３】
前記候補基準リンク決定回路が、前記候補基準リンク決定回路が新しい基準リンクを選択するまで現在の基準リンクを維持するために動作する請求項１２に記載の無線装置。
【請求項１４】
非同期無線通信システムで能動リンク・セット・リストを更新するための方法であって、
能動リンク・セット更新メッセージを受信するステップと、
前記能動リンク・セット更新メッセージおよび前記能動リンク・セット・リストに基づいて基準リンクの候補リストを生成するステップと、
を含む方法。
【請求項１５】
前記基準リンクの候補リストを生成するステップが、前記能動リンク・セット・リストから保持するリンクのリストを生成するステップをさらに含む請求項１４に記載の方法。
【請求項１６】
少なくとも前記受信した能動リンク・セット更新メッセージに基づいて前記能動リンク・セット・リストを更新するステップをさらに含む請求項１４に記載の方法。
【請求項１７】
前記能動リンク・セット更新メッセージが前記能動リンク・セット・リストからの現在の基準リンクの除去を指示している場合に、信号強度測定値、品質表示、基地局への距離の表示、前記各基準リンクの候補リストに関連するエージング表示、およびタイミング・オフセットの表示のうちの少なくとも１つに基づいて前記基準リンクの候補リストから新しい基準リンクを選択するステップをさらに含む請求項１４に記載の方法。
【請求項１８】
新しい基準リンクを選択するステップが、前記新しい基準リンクが選択されるまで現在の基準リンクを維持するステップを含む請求項１７に記載の方法。
【請求項１９】
前記基準リンクの候補リストを生成するステップが、前記能動リンク・セット・リストが満杯にならない限り、前記能動リンク・セット・リストから前記現在の基準リンクを除去する前に、前記能動リンク・セット・リストに前記新しい基準リンクを追加するステップを含む請求項１７に記載の方法。
【請求項２０】
非同期無線通信システムで能動リンク・セット・リストを更新するための方法であって、
能動リンク・セット更新メッセージを受信するステップと、
前記受信した能動リンク・セット更新メッセージに応じて、前記能動リンク・セット・リストから除去するリンクのリスト、および前記能動リンク・セット・リストから保持するリンクのリストを生成するステップと、
前記受信した能動リンク・セット更新メッセージが、前記能動リンク・セット・リストから基準リンクを除去することを指示している場合に、前記能動リンク・セット・リストから保持するリンクのリストは含んでいるが、前記能動リンク・セット・リストから除去するリンクのリストは含んでいない基準リンクの候補リストを生成するステップと、
信号強度測定値、品質表示、基地局への距離の表示、前記各基準リンクの候補リストに関連するエージング表示、およびタイミング・オフセットの表示のうちの少なくとも１つに基づいて前記基準リンクの候補リストから新しい基準リンクを選択するステップと、
を含む方法。
【請求項２１】
前記基準リンクの候補リストを生成するステップが、前記能動リンク・セット・リストが満杯にならない限り、前記能動リンク・セット・リストから前記現在の基準リンクを除去する前に、前記能動リンク・セット・リストに前記新しい基準リンクを追加するステップを含む請求項２０に記載の方法。
【請求項２２】
１つ以上の処理デバイスに、
能動リンク・セット更新メッセージを受信させ、
前記能動リンク・セット更新メッセージおよび前記能動リンク・セット・リストに基づいて基準リンクの候補リストを生成させる
前記１つ以上の処理デバイスが実行することができる命令を含むメモリ。
【請求項２３】
前記１つ以上の処理デバイスに、前記能動リンク・セット・リストから除去するリンクのリスト、および前記受信した能動リンク・セット更新メッセージに応じて前記能動リンク・セット・リストから保持するリンクのリストのうちの少なくとも１つを生成させる命令を含む請求項２２に記載のメモリ。
【発明の詳細な説明】
【技術分野】
【０００１】
本発明は、概して、無線通信システムに関し、特に非同期無線通信システムに関する。
【背景技術】
【０００２】
無線通信システムは、携帯情報端末（ＰＤＡ）、携帯電話、ページャ、スマートフォンおよびある地理的エリア内を移動することができる他の適当なデバイスのような多数の無線装置にサービスを提供するために、ある地理的エリア内に散在している多数の基地局を含む。無線通信システム内の基地局間の通信は、セル間同期通信か、またはセル間非同期通信である。セル間同期システム内の基地局は相互に同期しているが、一方、セル間非同期システム内の基地局は相互に同期していない。さらに、セル間非同期システム内の基地局は共通の時間基準を共有していないので、これらの基地局は、相互に同期していない時間にメッセージを送信する。暫定標準ＩＳ−９５−Ａは、セル間同期システムの一例である。広帯域符号分割多元接続（ＷＣＤＭＡ）規格はセル間非同期システムの一例である。
【０００３】
基地局は、通常、無線装置と各基地局との間にリンクが確立される無線通信システムでノードとしての働きをする。各基地局は、リンクに１つ以上の制御チャネル、および１つ以上の専用チャネルを割り当てることにより、無線装置とのリンクを確立することができる。制御チャネルは、基地局識別およびページング情報を送信するために使用される。専用チャネルは、例えば、無線装置と基地局との間で音声およびデータ情報を送信するためのトラヒック・チャネルを含むことができる。それ故、各リンクは、集合的に無線装置と各基地局との間で通信を行うための１つ以上の制御チャネルおよび１つ以上の専用チャネルを表す。
【０００４】
非同期通信システム内の無線装置の同期は、通常、各基地局から無線装置に１つ以上の同期信号を送信することにより行われる。送信した同期信号は、無線装置の逆拡散動作を同期させるためのタイミング基準となる。例えば、ＷＣＤＭＡ適合システムにおいては、通常の同期手順は、対応するリンク上の制御チャネルに関連する同期チャネル（または一組のダウンリンク疑似雑音（ＰＮ）コードのような共通の一組の同期コードからのコード）を使用する。非同期無線通信システムは、システム内の各基地局に対する同期チャネルを保持する。さらに、各基地局は、各セル内での同報通信のために、隣接するセルおよびその対応する同期チャネルのリストを保持する。
【０００５】
ソフト・ハンドオーバを使用すれば、無線装置は複数の基地局とのリンクを同時に確立することができる。ソフト・ハンドオーバを容易にするために、無線ネットワークは、無線装置が各基地局と同時に通信することができるような整合状態で、無線装置へのその送信信号を調整するように各基地局に指示する。無線装置が無線通信システム内を移動する場合、無線装置は、当業者であれば周知のように、登録手順中のような任意の他の適当な時間中に基地局を絶えず走査し、無線装置は、ソフト・ハンドオーバ中に使用しているリンクに対応する能動リンク・セット・リストを維持する。無線装置は、信号強度、品質測定値、および能動リンク・セット・リスト内の各リンクのための基地局へのタイミング情報のような測定値を提供する。次に、基地局は、これら測定値を評価し、ソフト・ハンドオーバ中にリンクを追加または削除するために、無線装置に能動リンク・セット更新メッセージを提供する。
【０００６】
非同期システムは、無線装置との確立したリンクとそれぞれ対応する基地局間の通信を同期することによりソフト・ハンドオーバを容易にする。各基地局は、相互に非同期状態の時間に対応するリンクにより、各制御チャネル同期情報を送信する。基準リンクと整合するように他のリンクを時間調整するために、１つのリンクが基準リンクとして選択される。ソフト・ハンドオーバ中の無線装置は、現在の基準基地局に対応する現在の基準リンクと、新しい基地局に対応する新しいリンクとの間の時間差を計算して、無線通信システムに報告する。無線通信システムは、新しい基地局にリンク間の時間差を知らせる。次に、新しい基地局は、現在の基地局に関連する現在の基準リンクと新しい基地局に関連する新しいリンクとの間の時間差を補償するために、無線装置用の信号によりその受信および送信タイミングを調整することができる。
【０００７】
ソフト・ハンドオーバ手順中、無線装置は、時間の経過とともに変化する信号の品質、ユーザの移動、干渉レベルの変化、または伝搬環境内の変化に従って、無線装置削除リンク間の通信を最適化するためにリンクを追加したり、削除したりする。リンクの追加および削除は、能動リンク・セット・リストを修正するために、能動リンク・セット更新メッセージを周期的に送信することにより行うことができる。当業者であれば周知のように、新しく確立したリンクは、前のフレームからのリンク、および現在のフレームに対する任意の追加または削除に基づいて各フレームに対して決定される。
【０００８】
ある方法によれば、無線装置が能動リンク・セット更新メッセージを受信した場合、無線装置は、能動セットが満杯になっていない限り、能動リンク・セット更新メッセージ内のリンクの順序によりリンクを追加し削除する。能動リンク・セット更新メッセージが、無線装置に現在の基準リンクを削除するように要求している場合には、無線装置は、能動リンク・セット・リスト内の他のリンクを選択する。しかし、能動リンク・セット更新メッセージ内にその基準リンクも削除するようにとの指示がある場合には、無線装置は、能動リンク・セット更新メッセージに応じて、それを削除するためだけに基準リンクを選択する必要はない。それ故、次に、無線装置は、他の基準リンクを再度選択しなければならない。
【０００９】
添付の図面に本発明を示すが、これは例示としてのものであって本発明を制限するものではない。図面中、類似の参照番号は類似の要素を示す。
【発明を実施するための最良の形態】
【００１０】
通信回路および方法は、非同期無線通信システム内で能動リンク・セット・リストを更新する。通信回路は無線装置であってもよいし、または任意の他の適当な通信装置であってもよい。通信回路は、能動リンク・セット更新メッセージを受信し、それに応じて能動リンク・セット・リストから基準リンクの候補リストを生成するための候補基準リンク決定回路を含む。候補基準リンク決定回路は、例えば、能動リンク・セット・リストからのリンクを保持するために、受信した能動リンク・セット更新メッセージ内の表示に基づいて、基準リンクの候補リストを生成する。
【００１１】
一実施形態の場合には、候補基準リンク決定回路は、例えば最も強力な信号強度表示に基づいて、基準リンクの候補リストから新しい基準リンクを選択する。別の方法としては、候補基準リンク決定回路は、品質表示または基地局への距離の表示、各候補基準リンクに関連するエージング表示、またはタイミング・オフセットに基づいて新しい基準リンクを選択することができる。それ故、能動リンク・セット更新メッセージが、能動リンク・セット・リストから現在の基準リンクを除去するように指示している場合には、候補基準リンク決定回路は、基準リンクの候補リストから適当な新しい基準リンクを選択することによりソフト・ハンドオーバを容易にすることができる。本発明の一実施形態によれば、通信回路は、新しい基準リンクが能動リンク・セット更新中に除去されないように、新しい基準リンクを選択するために能動リンク・セット更新メッセージを前処理する。
【００１２】
他にも種々の利点を有するが、本発明は基準リンクの選択を改善する。すでに説明したように、候補基準リンク決定回路があるリンクを基準リンクとして選択し、能動リンク・セット更新メッセージが、基準リンクとして選択したリンクを除去するように要求している場合には、候補基準リンク決定回路はもう１つの基準リンクを再度選択しなければならない。それ故、新しい基準リンクを選択すると、能動リンク・セット更新メッセージの受信に応じて２つ以上の基準リンクを選択することになる場合がある。すなわち、候補基準リンク決定回路は、能動セット更新中に２つ以上の基準リンクを選択する。
【００１３】
能動リンク・セット更新メッセージを前処理することにより、候補基準リンク決定回路は、能動リンク・セット更新メッセージ内に表示されているリンクの追加およびリンク削除の回数が何であれ、能動セット更新中に１回程度新しい基準リンクを選択することができる。さらに、基準リンクのそれぞれの変更は処理するのに時間がかかるので、新しい基準リンクを再度選択し、能動リンク・セット・リストを更新するための処理要件および処理時間が短くなる。さらに、基準リンク再選択プロセスはいくつかの測定を必要とするので、新しい基準リンクを間違って選択する確率が低減する。何故なら、各測定に関連するエラーの確率が存在するからである。それ故、必要な測定の数を低減すると、さらに、新しい基準リンクを間違って選択する確率が低減する。
【００１４】
図１は、本発明の一実施形態による基準リンクの候補リストを生成するための通信回路１０の例示としての実施形態を示すブロック図である。通信回路１０は、候補基準リンク決定回路３０およびメモリ４０を含む。メモリ４０は、例えば、ランダム・アクセス・メモリ（ＲＡＭ）であっても、読出専用メモリ（ＲＯＭ）であっても、光メモリであっても、またはサーバを介してのような局地的にまたは遠隔地に位置する任意の適当な記憶媒体であってもよい。さらに、メモリ４０は、インターネット、ワイド・アクセス・ネットワーク（ＷＡＮ）、ローカル・エリア・ネットワーク（ＬＡＮ）、無線ワイド・アクセス・ネットワーク（ＷＷＡＮ）、無線ローカル・エリア・ネットワーク（ＷＬＡＮ）、ＩＥＥＥ８０２．１１無線ネットワーク、ｂｌｕｅｔｏｏｔｈを介して、基地局、スイッチング・システム、または任意の適当なネットワーク要素によりアクセスすることができ、基準リンク２０および能動リンク・セット・リスト５０の候補リストを含む。候補基準リンク決定回路３０は、能動リンク・セット更新メッセージ６０を受信し、それに応じて能動リンク・セット・リスト５０および受信した能動リンク・セット更新メッセージ６０に基づいて、基準リンク２０の候補リストを生成する。
【００１５】
候補基準リンク決定回路３０は、マイクロプロセッサ、マイクロコントローラ、またはデジタル信号プロセッサ（ＤＳＰ）のような１つ以上の適当にプログラムしたプロセッサであってもよく、それ故、実行した場合、候補基準リンク決定回路３０に本明細書に記載する動作を行わせる実行可能な命令を含むメモリ４０のような関連メモリを含む。別の方法としては、本明細書で使用する場合、候補基準リンク決定回路３０は、離散的論理、状態マシンまたはハードウェア、ソフトウェアおよび／またはファームウェアの任意の他の適当な組合せを含む。候補基準リンク決定回路３０は、候補基準リンク情報７０を生成し、メモリ４０内に基準リンク２０の候補リストを記憶する。同様に、候補基準リンク決定回路３０は、能動リンク・セット・リスト情報８０を生成し、メモリ４０内に能動リンク・セット・リスト５０を記憶する。
【００１６】
図２は、本発明の一実施形態による基準リンク２０の候補リストを生成するための方法２００の一例を示すフローチャートである。この方法２００は、通信回路１０内の候補基準リンク決定回路３０により実行することができる。しかし、任意の他の適当な構造も使用することができる。ステップ２１０からスタートするこの方法２００は、一連の動作として記述することができるが、動作は任意の適当な順序で実行することができ、任意の適当な組合せで反復することができることを理解することができるだろう。
【００１７】
ステップ２２０に示すように、候補基準リンク決定回路３０は、能動リンク・セット更新メッセージ６０を受信する。能動リンク・セット更新メッセージ６０は、候補基準リンク決定回路３０に、通信回路１０と非同期無線通信システムとの間の通信を最適にするために、能動リンク・セット更新メッセージ６０によりリンクを追加または削除するように指示することができる。能動リンク・セット更新メッセージ６０は、候補基準リンク決定回路３０に、例えば、時間の経過とともに変化する信号の品質、ユーザの移動、干渉レベルの変化、または伝搬環境内の変化、または任意の他の適当なパラメータに従って、リンクの追加またはリンクの削除を指示することができる。
【００１８】
ステップ２３０内に示すように、候補基準リンク決定回路３０は、能動リンク・セット更新メッセージ６０および能動リンク・セット・リスト５０に基づいて、基準リンク２０の候補リストを生成する。例えば、候補基準リンク決定回路３０は、能動リンク・セット・リスト５０からどのリンクを保持すべきかの決定に基づいて、基準リンク２０の候補リストを生成することができる。このような決定は、能動リンク・セット・リスト５０内の現在リンクを能動リンク・セット更新メッセージ６０内の除去すべきリンクの１つ以上の表示と比較することにより行うことができる。図ではこの方法２００はステップ２４０のところで終わっているが、一実施形態の場合には、プロセスは、ステップ２２０に戻り、必要に応じて反復することができる。
【００１９】
図３は、本発明の他の実施形態による基準リンク２０の候補リストを生成するための方法３００のもう１つの例を示すフローチャートである。この方法３００は、候補基準リンク構造により実行することができる。ステップ３１０からスタートするこの方法３００は、一連の動作として記述することができるが、動作は任意の適当な順序で実行することができ、任意の適当な組合せで反復することができることを理解することができるだろう。
【００２０】
ステップ３２０に示すように、候補基準リンク決定回路３０は、現在の能動リンク・セット・リスト５０を初期化し、現在の基準リンクリンクを選択する。例えば、通信回路１０が基地局に登録している場合には、基地局は、当業者であれば周知のように、メモリ４０内に記憶するために、候補基準決定回路３０に能動リンク・セット・リスト５０および基準リンクの表示を提供することができる。それ故、候補基準リンク決定回路３０は、能動リンク・セット・リスト５０に基づいて基準リンクを選択することができる。
【００２１】
ステップ３３０に示すように、候補基準リンク決定回路３０は、図２のステップ２２０のところですでに説明したように、能動リンク・セット更新メッセージ６０を受信する。すでに説明したように、能動リンク・セット更新メッセージ６０は、リンク追加および／またはリンク削除を含む。
【００２２】
ステップ３４０に示すように、候補基準リンク決定回路３０は、能動リンク・セット・リスト５０から削除するリンクのリストを生成する。例えば、候補基準リンク決定回路３０は、能動リンク・セット更新メッセージ６０内にどのリンクを除去するように表示するのかを決定することにより、能動リンク・セット・リスト５０から除去するリンクを決定することができる。
【００２３】
ステップ３５０に示すように、候補基準リンク決定回路３０は、能動リンク・セット・リスト５０から保持するリンクのリストを生成する。例えば、候補基準リンク決定回路３０は、能動リンク・セット・リスト５０から、能動リンク・セット・リスト５０内のすべての現在のリンクの決定に基づいて、保持するリンクを決定することができ、次に、ステップ３４０のところですでに決定したように、除去するリンクを決定する。
【００２４】
ステップ３６０に示すように、候補基準リンク決定回路３０は、現在の基準リンクを除去すべきかどうかを決定する。例えば、候補基準リンク決定回路３０は、能動リンク・セット更新メッセージ６０内に現在の基準リンクを除去するものとして表示するかどうかの決定に基づいて、現在の基準リンクを除去すべきかどうかを決定することができる。
【００２５】
ステップ３７０に示すように、能動リンク・セット更新メッセージ６０が、現在の基準リンクを除去するように指示している場合には、候補基準リンク決定回路３０は、基準リンク２０の候補リストを生成する。本発明の一実施形態によれば、候補基準リンク決定回路３０は、ステップ３５０のところで決定したように、能動リンク・セット・リスト５０から保持するリンクのリストに基づいて、基準リンク２０の候補リストを生成する。例えば、候補基準リンク決定回路３０は、ステップ３４０のところですでに決定したように、能動リンク・セット・リスト５０から除去するように指示されているリンクのリストを除去することにより、保持するリンクのリストを決定することができる。候補基準リンク決定回路３０が、ステップ３６２に示すように、現在の基準リンクを除去すべきでないと決定した場合には、候補基準リンク決定回路３０は、能動リンク・セット・リスト５０内の現在の基準リンクを保持し、ステップ３９０に示すように処理が続行する。
【００２６】
ステップ３８０に示すように、候補基準リンク決定回路３０が、例えば、基準リンク２０の候補リスト内の各リンクに関連する信号強度表示、基準リンク２０の候補リスト内の各リンクに関連する品質表示、および基準リンク２０の候補リスト内の各リンクに関連する基地局への距離の表示、基準リンクの各候補リストに関連するエージング表示、基準リンク２０の候補リスト内の各リンクに関連するタイミング・オフセットの表示、または任意の他の適当なパラメータに基づいて、基準リンク２０の候補リストから新しい基準リンクを選択する。例えば、候補基準リンク決定回路３０が新しい基準リンクが必要であると決定しているので、候補基準リンク決定回路３０は、上記基準または任意の他の適当な基準に基づいてリンクのうちの１つを基準リンクとして選択する。一実施形態の場合には、候補基準リンク決定回路３０は、候補基準リンク決定回路３０が新しい基準リンクを選択するまで現在の基準リンクを維持する。新しい基準リンクが選択されるまで現在の基準リンクを維持することにより、通信回路１０は同期を維持することができ、一方、候補基準リンク決定回路３０は新しい基準リンクに移行する。
【００２７】
ステップ３９０に示すように、候補基準リンク決定回路３０は、少なくとも受信した能動リンク・セット更新メッセージ６０に基づいて能動リンク・セット・リスト５０を更新する。一実施形態の場合には、候補基準リンク決定回路３０は、ステップ３８０において選択した新しい基準リンクに基づいて能動リンク・セット・リスト５０を更新する。さらに、候補基準リンク決定回路３０は、ステップ３４０において決定した能動リンク・セット・リスト５０から除去するリンクのリストに基づいて能動リンク・セット・リスト５０を更新することができる。
【００２８】
ステップ３９２に示すように、通信回路１０は、基準リンクをチェックしないで、能動リンク・セット更新メッセージ６０を処理する。候補基準リンク決定回路３０は、ステップ３８０において、すでに新しい基準リンクを選択しているので、通信回路１０は、新しい基準リンクを選択しなくても、能動リンク・セット更新メッセージ６０内の残りのリンクを追加および削除することができる。
【００２９】
図４は、図３のステップ３７０の基準リンク２０の候補リストを生成するための方法４００の詳細図である。この方法４００は、通信回路１０内の候補基準リンク決定回路３０により実行することができるが、任意の他の適当な構造も使用することができる。ステップ４１０からスタートするこの方法４００は、一連の動作として記述することができるが、動作は任意の適当な順序で実行することができ、任意の適当な組合せで反復することができることを理解することができるだろう。
【００３０】
ステップ４２０に示すように、候補基準リンク決定回路３０は、新しい基準リンクが選択されるまで現在の基準リンクを維持する。それ故、候補基準リンク決定回路３０は、ソフト・ハンドオーバのような現在進行中の専用接続動作をサポートするために、基準リンクが使用できない状況になる現在の基準リンクを、まだその時がきていないのに除去することはない。
【００３１】
ステップ４３０に示すように、候補基準リンク決定回路３０は、能動リンク・セット・リスト５０が満杯でない限りは、リスト削除を行う前にリンクの追加を行う。能動リンク・セット・リスト５０は、少ない記憶容量しか有していないので、少数のリンクの追加および削除の表示しか記憶することができない。それ故、リンクの追加および削除表示の数が能動リンク・セット・リスト５０の記憶容量に等しくなると、能動リンク・セット・リスト５０は満杯になる。リンクを削除する前にリンクを追加すれば、リンクを除去したために、任意の時点で能動リンク・セット・リスト５０内にリンクが存在しなくなるという事態が回避される。しかし、能動リンク・セット・リスト５０が満杯である場合には、能動リンク・セット更新メッセージ内に表示されている１つ以上のリンクを削除することができる。何故なら、この状況ではリンクの追加を行うことができないからである。
【００３２】
ステップ４４０に示すように、候補基準リンク決定回路３０は、能動リンク・セット・リスト５０から少なくとも保持すべきリンクを含む基準リンク２０の候補リストを生成する。ステップ４５０において、基準リンクの現在の候補リストが選択され、そのため基準リンク２０の候補リストの処理が終了する。別の方法としては、基準リンク２０の候補リストの処理を、例えば、図３に示すようにステップ３８０に継続することもできる。
【００３３】
図５は、本発明の一実施形態による新しい基準リンクを選択するための方法５００である。この方法５００は、通信回路１０内の候補基準リンク決定回路３０により実行することができる。しかし、任意の他の適当な構造も使用することができる。ステップ５１０からスタートするこの方法５００は、一連の動作として記述することができるが、動作は任意の適当な順序で実行することができ、任意の適当な組合せで反復することができることを理解することができるだろう。
【００３４】
ステップ５２０に示すように、候補基準リンク決定回路３０は、能動リンク・セット更新メッセージ６０が能動リンク・セット・リスト５０から現在の基準リンクの除去を指示している場合には、信号強度表示、品質表示、基地局への距離、基準リンクの各候補リストに関連するエージング表示、およびタイミング・オフセットの表示のうちの少なくとも１つに基づいて、基準リンク２０の候補リストから新しい基準リンクを選択する。ステップに５３０示すように、候補基準リンク決定回路３０は、すでに説明したように、能動リンク・セット・リスト内に少なくとも１つのリンクが残るように新しい基準リンクを選択する。
【００３５】
図６は、本発明のもう１つの例示としての実施形態による基準リンクの候補リストを生成するための無線装置６００の一例を示すブロック図である。この実施形態の場合には、無線装置６００は、プロセッサ６１０、トランシーバ６２０、およびメモリ４０を含む。さらに、無線装置６００は、アンテナ６３０と結合している。プロセッサ６１０は、アンテナ６３０およびトランシーバ６２０を介して能動リンク・セット更新メッセージ６０を受信するための候補基準リンク決定回路３０を含む。
【００３６】
プロセッサ６１０は、マイクロプロセッサ、マイクロコントローラまたはデジタル信号プロセッサ（ＤＳＰ）のような１つ以上の適当にプログラムされたプロセッサであってもよく、それ故、実行した場合、プロセッサ６１０に本明細書に記載する動作を行わせる実行可能な命令を含むメモリ４０のような関連メモリを含む。別の方法としては、本明細書で使用する場合、プロセッサ６１０は、離散的論理、状態マシンまたはハードウェア、ソフトウェアおよび／またはファームウェアの任意の他の適当な組合せを含む。無線装置６００は、携帯電話であっても、携帯情報端末（ＰＤＡ）であっても、衛星電話であっても、ページャであっても、無線ポータブル・コンピュータであっても、または能動リンク・セット・リスト５０および受信した能動リンク・セット更新メッセージ６０に基づいて基準リンクの候補リストを生成することができる任意の他の適当なデバイスであってもよい。
【００３７】
他にも種々の利点を有しているが、本発明は、基準リンクの選択を改善する。すでに説明したように、候補基準リンク決定回路３０があるリンクを基準リンクとして選択し、能動リンク・セット更新メッセージ６０が、基準リンクとして選択したリンクを除去するように要求している場合には、候補基準リンク決定回路３０は、もう１つの基準リンクを再度選択しなければならない。それ故、新しい基準リンクを選択すると、能動リンク・セット更新メッセージ６０の受信に応じて２つ以上の基準リンクを選択することになる場合がある。すなわち、候補基準リンク決定回路は、能動セット更新中に２つ以上の基準リンクを選択する。能動リンク・セット・リスト５０を更新する前に、通信回路が、能動リンク・セット更新メッセージを前処理するので、候補基準リンク決定回路は、次の能動リンク・セット更新メッセージ６０の前に、次に基準リンクとして除去される基準リンクのようなリンクを選択するのを避けることができる。
【００３８】
能動リンク・セット更新メッセージ６０を前処理することにより、候補基準リンク決定回路３０は、能動リンク・セット更新メッセージ６０内に表示されているリンクの追加およびリンクの削除の回数にかかわらず、能動セット更新中に１回程度新しい基準リンクを選択することができる。さらに、基準リンクの各変更は、処理するのに時間がかかるので、新しい基準リンクを再度選択し、能動リンク・セット・リスト５０を更新するための処理要件および処理時間が短くてすむ。さらに、基準リンク再選択プロセスは、いくつかの測定を必要とするので、新しい基準リンクを間違って選択する確率が低減する。何故なら、各測定に関連するエラーの確率が存在するからである。それ故、必要な測定の数を低減すると、さらに、新しい基準リンクを間違って選択する確率が低減する。
【００３９】
通常の当業者であれば本発明の他の種々の変形および変更およびその種々の態様の実施をすぐに思い付くことができること、本発明は上記特定の実施形態により制限されないことを理解されたい。それ故、本発明は、本明細書および特許請求の範囲に記載した基本的な原理の精神および範囲内に含まれる任意およびすべての修正および変更または等価物を含む。
【図面の簡単な説明】
【００４０】
【図１】本発明の一実施形態による基準リンクの候補リストを生成するための回路の一例を示すブロック図。
【図２】本発明の一実施形態による基準リンクの候補リストを生成するための方法の一例を示すフローチャート。
【図３】本発明の他の実施形態による基準リンクの候補リストを生成するための方法の他の例を示すフローチャート。
【図４】本発明の一実施形態による基準リンクの候補リストを生成するための方法の一例を示すフローチャート。
【図５】本発明の一実施形態による新しい基準リンクを選択するための方法の一例を示すフローチャート。
【図６】本発明のある例示としての実施形態による基準リンクの候補リストを生成するための無線装置の一例を示すブロック図。
【図１】
2007508743.tif 000003
【図２】
2007508743.tif 000004
【図３】
2007508743.tif 000005
【図４】
2007508743.tif 000006
【図５】
2007508743.tif 000007
【図６】
2007508743.tif 000008
【国際調査報告】
2007508743.tif 000009